(57)【要約】【課題】不正開封の有無を容易に判断することができ、また、封緘部の不用意な破断を防止することができる注出口体を提供する。【解決手段】注出口１４を形成する中栓部４と、注出口１４を覆うキャップ部５とを備える合成樹脂製の注出口体１において、容器２の口部３に嵌合する中栓部４の外筒部８に張り出し形成された張出部２４を設ける。キャップ部５に、その周壁部１９の下縁から下方に延び、張出部２４の係止孔２５に挿着して解除不能に係止する係止爪部２６を設ける。周壁部１９と係止爪部２６との間に、切除することにより係止爪部２６を張出部２４に係止された状態で周壁部１９から分離させる封緘部２８を設ける。【選択図】図１
2004217242.tif 000002
【特許請求の範囲】
【請求項１】
瓶状容器の口部に嵌着して注出口を形成する中栓部と、該中栓部の注出口を着脱自在に覆うキャップ部とを備える合成樹脂製の注出口体において、
前記中栓部は、容器の口部の内側に圧接する内筒部と、容器の口部の外側に嵌合する外筒部と、容器の口部上縁に沿って内筒部と外筒部とを連結する連結縁部と、該連結縁部の上部に突設されて前記キャップ部が嵌合自在の嵌合部と、前記外筒部の外側の所定位置に張り出し形成された張出部とを備え、
前記キャップ部は、前記中栓部の上部を覆う円盤状の天板と、該天板の周縁に連設された筒状の周壁部と、該周壁部の下縁に沿って形成されて前記中栓部の嵌合部に嵌合する被嵌合部と、前記張出部に対応する位置における該周壁部の下縁から下方に延設され、前記張出部に形成された係止孔に挿着されて解除不能に係止する係止爪部と、該周壁部と係止爪部との間に切除可能に設けられ、切除することにより前記係止爪部を前記張出部の係止孔に係止された状態で前記周壁部から分離させる封緘部とを備えることを特徴とする注出口体。
【請求項２】
前記封緘部は、少なくとも前記張出部の先端縁よりも内方位置に収容されていることを特徴とする請求項１記載の注出口体。
【請求項３】
前記キャップ部は、前記中栓部の一部にヒンジ部を介して揺動自在に連結されており、
前記張出部は、前記ヒンジ部の対向側における前記外筒部の外側に形成されていることを特徴とする請求項１又は２記載の注出口体。
【発明の詳細な説明】
【０００１】
【発明の属する技術分野】
本発明は、瓶状容器の口部に取り付けて注出口を形成する注出口体に関する。
【０００２】
【従来の技術】
この種の注出口体は合成樹脂によって形成されており、例えば、下記特許文献１に見られるように、注出口が形成された中栓部と、注出口を覆うキャップ部とを備えている。この種の注出口体においては、開閉動作が容易である反面、キャップ部の外部への接触や悪戯等によって不正に開封されるおそれがある。そのため、下記特許文献１に見られるように、中栓部には、キャップ部を被冠した状態でキャップ部の外周面を覆う封緘部が設けられている。この封緘部は中栓部に切除可能に設けられ、開封時に封緘部を切り取ることによってキャップ部の取外しが可能となる。従って、封緘部を切り離さないとキャップ部が取り外せないようになっており、悪戯等によるキャップ部の取り外しを防止することができる。
【０００３】
しかし、悪戯等によって封緘部が切除された場合には、封緘部が切り離された痕跡が目立たず、不正開封の有無を判断することが難しい不都合がある。また、未開封状態であっても、封緘部はキャップ部を覆った状態で中栓部の外周に露出しているので、封緘部が外部に接触し易く、その接触によって封緘部が不用意に破断されるおそれがある。
【０００４】
【特許文献１】
実開昭６２−１９１６５２号公報
【０００５】
【発明が解決しようとする課題】
かかる不都合を解消して、本発明は、不正開封の有無を容易に判断することができ、また、封緘部の不用意な破断を防止することができる注出口体を提供することを目的とする。
【０００６】
【課題を解決するための手段】
かかる目的を達成するために、本発明は、瓶状容器の口部に嵌着して注出口を形成する中栓部と、該中栓部の注出口を着脱自在に覆うキャップ部とを備える合成樹脂製の注出口体において、前記中栓部は、容器の口部の内側に圧接する内筒部と、容器の口部の外側に嵌合する外筒部と、容器の口部上縁に沿って内筒部と外筒部とを連結する連結縁部と、該連結縁部の上部に突設されて前記キャップ部が嵌合自在の嵌合部と、前記外筒部の外側の所定位置に張り出し形成された張出部とを備え、前記キャップ部は、前記中栓部の上部を覆う円盤状の天板と、該天板の周縁に連設された筒状の周壁部と、該周壁部の下縁に沿って形成されて前記中栓部の嵌合部に嵌合する被嵌合部と、前記張出部に対応する位置における該周壁部の下縁から下方に延設され、前記張出部に形成された係止孔に挿着されて解除不能に係止する係止爪部と、該周壁部と係止爪部との間に切除可能に設けられ、切除することにより前記係止爪部を前記張出部の係止孔に係止された状態で前記周壁部から分離させる封緘部とを備えることを特徴とする。
【０００７】
本発明による注出口体は、前記キャップ部に設けられた係止爪部を、前記中栓部の張出部に形成された係止孔に解除不能に係止されることによって、未開封状態を強固に維持することができる。そして、本発明による注出口体を開封するときには、先ず、前記キャップ部の周壁部と係止爪部との間に設けられた封緘部を切除する。これによって、キャップ部から係止爪部が分離され、中栓部からキャップ部が取り外し可能となる。このとき、係止爪部が張出部の係止孔に係止された状態で中栓部の周壁に残留するので、封緘部が切除されたことが容易に確認でき、悪戯等の不正開封の有無を容易に判断することができる。
【０００８】
また、本発明において、前記封緘部は、少なくとも前記張出部の先端縁よりも内方位置に収容されていることを特徴とする。これにより、前記封緘部への外部からの接触が張出部によって阻止されるので、外部からの接触による封緘部の不用意な破断を防止することができる。
【０００９】
また、本発明の一態様として、前記キャップ部は、前記中栓部の一部にヒンジ部を介して揺動自在に連結されており、前記張出部は、前記ヒンジ部の対向側における前記外筒部の外側に形成されていることが挙げられる。即ち、本発明は、キャップ部がヒンジ部を介して中栓部に連結されている所謂ヒンジキャップに好適に採用することができる。その場合には、前記ヒンジ部の対向側に張出部を形成し、該張出部に対応する位置に前記係止孔を設ける。これによって、ヒンジ部によるキャップ部と中栓部との連結と、係止爪部と張出部の係止孔との係止によって未開封状態を強固に維持することができ、開封時には、前記封緘部を切除してキャップ部を開閉可能とすることができる。しかも、開封後は前述したように、係止爪部が張出部の係止孔に係止された状態で中栓部の周壁に残留して悪戯等の不正開封の有無を容易に判断することができる。
【００１０】
【発明の実施の形態】
本発明の一実施形態を図面に基づいて説明する。図１は本実施形態の注出口体を示す説明的縦断面図、図２は瓶状容器への取り付け前の注出口体を示す説明的縦断面図、図３は図２の状態の注出口体の説明的平面図、図４は未開封状態の要部を拡大して示す説明的縦断面図、図５は注出口体の説明的正面図、図６は注出口体の説明的側面図、図７は注出口体の説明的平面図、図８は開封後の注出口体の要部を拡大して示す説明的縦断面図、図９は他の実施形態の注出口体を示す説明的縦断面図、図１０は瓶状容器への取り付け前の他の実施形態の注出口体を示す説明的縦断面図である。
【００１１】
本実施形態の注出口体１は、図１に示すように、瓶状容器２の口部３に嵌着されて瓶状容器２の内容物（液状）の注出を案内するものである。
【００１２】
注出口体１は、ポリエチレン等の合成樹脂によって形成されており、図１に示すように、中栓部４と、キャップ部５とを備えている。キャップ部５はヒンジ部６によって中栓部４の一部に揺動自在に連結されている。
【００１３】
中栓部４は、瓶状容器２の口部３の内面に当接する内筒部７と、該口部３の外面に当接する外筒部８とを備えている。内筒部７は、瓶状容器２の口部３より僅かに大径に形成され、口部３に圧入されることによって復元弾性をもって口部３の内面に圧接している。外筒部８は、その内周面に突設された係合凸部９を備え、該係合凸部９が口部３の外周に形成された嵌合凹部１０に嵌合することによって口部３に強固に保持される。
【００１４】
内筒部７と外筒部８とは、それらの上縁が連結縁部１１を介して一体に連結されている。連結縁部１１の上面には全周にわたる凸条１２が形成されている。該凸条１２は、図２及び図４に示すように、その外周面に突起１３を備えている。該突起１３は、後述するキャップ部５に嵌合する嵌合部を形成している。
【００１５】
内筒部７の内側には、図１及び図２に示すように、瓶状容器２の内容物の注出を案内する筒状の注出口１４が一体に連設されている。該注出口１４は、未開封の状態では注出不能に閉塞する切除パネル１５を備えている。切除パネル１５はプルリング１６を備え、プルリング１６に指を掛けて引っ張ることによりスコア１７に沿って切除パネル１５が切除される。切除パネル１５が切除されることによって注出口１４は瓶状容器２の内部と連通し、内容物の注出が可能となる。
【００１６】
前記キャップ部５は、円盤状の天板１８と、該天板１８の周縁全周に一体に連設された周壁部１９とを備えている。天板１８の裏面側には、前記注出口１４の内周面に密接して注出口１４を閉塞する閉塞筒２０が連設されている。周壁部１９の下縁に沿ってその内周面には、図２及び図４に示すように、前記中栓部４の前記凸条１２に形成された突起１３に着脱自在に嵌合する凹部２１が形成されている。該凹部２１は、前記中栓部４に嵌合されるキャップ部５の被嵌合部を形成している。また、図１及び図２に示すように、周壁部１９の一部には、前記ヒンジ部６が連設されており、該ヒンジ部６の反対側には、キャップ部５の開放操作時に指を掛ける鍔部２２が形成されている。
【００１７】
更に、図２及び図３において瓶状容器２に取り付ける前の注出口体１を示すように、ヒンジ部６の反対側に位置するキャップ部５の周壁部１９には、該周壁部１９の下縁から下方に延びる延出部２３が形成されている。該延出部２３に対応する前記中栓部４には、その外筒部８の外側に向って張り出す張出部２４が形成されている。張出部２４は、上下に貫通する複数（本実施形態では３つ）の係止孔２５を備えている。延出部２３は、その先端部に各係止孔２５に係止される複数（本実施形態では３つ）の係止爪部２６が形成されている。更に、図２及び図４に示すように、延出部２３において、周壁部１９と係止爪部２６との間には一対のスコア２７によって帯状に破断される封緘部２８が張出部２４に対応する長さに設けられている。そして、瓶状容器２に取り付けられた状態では、図１及び図４に示すように、係止爪部２６が張出部２４の係止孔２５に解除不能に係止される。封緘部２８は、図４に示すように、張出部２４の先端部よりも内側に収容されており、外部からの接触が張出部２４によって阻止される形状に形成されている。
【００１８】
また、図５及び図６に示すように、封緘部２８の一端部には把持片２９が連設されており、図７に示すように、把持片２９を把持して封緘部２８を容易に破断することができる。封緘部２８が切除されると、図８に示すように、キャップ部５から係止爪２６が切り離され、係止爪部２６が張出部２４の係止孔２５に係止された状態で残るので、開封した状態であることが容易に確認できる。
【００１９】
なお、本実施形態においては、中栓部４の注出口１４として、プルリング１６を引っ張ることにより切除パネル１５が切除されるものを示したが、それ以外に、例えば、図９及び図１０に示すように、中栓部３０の注出口３１に、キャップ部３２に形成された閉塞突起３３を嵌合させて閉塞するものであってもよい。
【００２０】
また、本実施形態においては、ヒンジ部６によってキャップ部５が中栓部４に連結されている所謂ヒンジキャップを採用したが、本発明はこれに限るものではなく、図示しないが、ヒンジ部６を備えず、キャップ部５が中栓部４から離反自在の注出口体であってもよい。この場合には、前記張出部２４を中栓部４の周壁全周に設けると共に前記延出部２３をキャップ部５の周壁部１９の下縁全周に設ける。そして、張出部２４の係止孔２５に延出部２３の係止爪部２６を係止して未開封状態とし、延出部２３の封緘部２８をキャップ部５の全周にわたって切除することで開封状態とする。これにより、未開封状態を強固に維持でき、しかも、封緘部２８が切除されたことが張出部２４に残った係止爪部２６によって容易に確認できる効果は前述の実施形態と同様である。
【図面の簡単な説明】
【図１】本発明の一実施形態の注出口体を示す説明的縦断面図。
【図２】瓶状容器への取り付け前の注出口体を示す説明的縦断面図。
【図３】図２の状態の注出口体の説明的平面図。
【図４】未開封状態の要部を拡大して示す説明的縦断面図。
【図５】注出口体の説明的正面図。
【図６】注出口体の説明的側面図。
【図７】注出口体の説明的平面図。
【図８】開封後の注出口体の要部を拡大して示す説明的縦断面図。
【図９】他の実施形態の注出口体を示す説明的縦断面図。
【図１０】瓶状容器への取り付け前の他の実施形態の注出口体を示す説明的縦断面図。
【符号の説明】
１…注出口体、２…瓶状容器、３…口部、４…中栓部、５…キャップ部、６…ヒンジ部、７…内筒部、８…外筒部、１１…連結縁部、１３…突起（嵌合部）、１４…注出口、１８…天板、１９…周壁部、２１…凹部（被嵌合部）、２４…張出部、２５…係止孔、２６…係止爪部、２８…封緘部。
【図１】
2004217242.tif 000003
【図２】
2004217242.tif 000004
【図３】
2004217242.tif 000005
【図４】
2004217242.tif 000006
【図５】
2004217242.tif 000007
【図６】
2004217242.tif 000008
【図７】
2004217242.tif 000009
【図８】
2004217242.tif 000010
【図９】
2004217242.tif 000011
【図１０】
2004217242.tif 000012